(57)【要約】【課題】被監視装置からの通知情報が失われることを無くし、信頼性を向上させた監視システムを提供すること。【解決手段】監視装置の前段にＴＲＡＰを保持機能を有するＴＲＡＰ受信専用装置４を配置し、全てのＴＲＡＰをＴＲＡＰ受信専用装置４に一旦蓄積したのち、監視装置（現用系監視装置３−０、予備系監視装置３−１）に転送するようにする。現用系監視装置３−０は転送されたＴＲＡＰを受信保持しネットワークＮＷの監視に用いる。さらに冗長切替えにより新現用系となった予備系監視装置３−１は、自身に保持する過去のＴＲＡＰ受信時刻から最新時刻までのＴＲＡＰをＴＲＡＰ受信専用装置４から取得し、監視処理を継続するようにする。このようにしたので被監視装置から発報されるＴＲＡＰが失われることが無くなり、監視システムの信頼性を向上させることが可能になる。【選択図】      図１
2007018243.tif 000002
【特許請求の範囲】
【請求項１】
現用系および予備系を備えて冗長化され、ネットワーク監視プロトコルを用いて被監視装置を監視する監視装置と、
前記被監視装置と前記監視装置との通信経路の途中に設置される専用装置とを具備し、
前記専用装置は、
前記被監視装置から前記ネットワーク監視プロトコルのもとで発報される通知情報を受信して蓄積する手段と、
前記蓄積した通知情報を前記監視装置に転送する手段とを備え、
前記監視装置は、
現用系として動作中に前記転送された通知情報を保持する手段と、
冗長切替えにより予備系から現用系に切り替わった場合に、自装置に保持する最新の通知情報の受信時刻から現時刻までの通知情報を前記専用装置から取得する手段とを備えることを特徴とする監視システム。
【請求項２】
前記ネットワーク監視プロトコルはＳＮＭＰ（Simple Network Management Protocol）であり、前記通知情報はＴＲＡＰであることを特徴とする請求項１に記載の監視システム。
【発明の詳細な説明】
【技術分野】
【０００１】
この発明は、監視装置により通信ネットワークを監視する監視システムに関する。特にこの発明は、監視装置が現用系と予備系とを備えて冗長構成をなし、プロトコルにＳＮＭＰを用いるシステムに関する。
【背景技術】
【０００２】
冗長構成をなす通信装置では、系切換えに伴う通信品質の劣化を防止することが重要である（例えば特許文献１を参照）。冗長構成は監視装置などにも採用されており、通信品質の劣化だけでなく系切換えに伴う種々の課題がある。  
監視装置と被監視装置とのプロトコルには、再送などが無くシンプルかつ軽実装なＳＮＭＰ ＴＲＡＰ（Simple Network Management Protocol TRAP）が使用されることが多い。このプロトコルのもとでは、監視装置は被監視装置から通知されるＴＲＡＰを拠り所としてネットワークを監視する。監視装置を冗長構成とするには汎用マシンを予備系装置に転用するのが一般的である。
【０００３】
ところで二重化された監視装置においては、冗長切換えに際してマシン間での機能の引継ぎや共通ＩＰアドレス（冗長構成のマシン間で共通に使用される１つの仮想的なＩＰアドレス）の受け渡しなどの処理を要し、その間ある程度の時間がかかる。引継ぎが完全でない状態では監視装置はＴＲＡＰを受信できず、しかも再送の仕組みがないために受信できなかったＴＲＡＰの履歴が残らないことになる。
【特許文献１】特開平８−３０７９７５号公報
【発明の開示】
【発明が解決しようとする課題】
【０００４】
以上のようにＳＮＭＰを用いる既存のシステムでは、現用系故障や定期点検に伴う冗長切替の際などに監視装置がＴＲＡＰを受信できず、ＴＲＡＰが失われる場合がある。このため２４時間連続監視が制限されたり、監視機能の信頼性が低下したりすることから何らかの対処が望まれる。  
この発明は上記事情によりなされたもので、その目的は、被監視装置からの通知情報が失われることを無くし、信頼性を向上させた監視システムを提供することにある。
【課題を解決するための手段】
【０００５】
上記目的を達成するためにこの発明の一態様によれば、現用系および予備系を備えて冗長化され、ネットワーク監視プロトコルを用いて被監視装置を監視する監視装置と、前記被監視装置と前記監視装置との通信経路の途中に設置される専用装置とを具備し、前記専用装置は、前記被監視装置から前記ネットワーク監視プロトコルのもとで発報される通知情報を受信して蓄積する手段と、前記蓄積した通知情報を前記監視装置に転送する手段とを備え、前記監視装置は、現用系として動作中に前記転送された通知情報を保持する手段と、冗長切替えにより予備系から現用系に切り替わった場合に、自装置に保持する最新の通知情報の受信時刻から現時刻までの通知情報を前記専用装置から取得する手段とを備えることを特徴とする監視システムが提供される。特に、ネットワーク監視プロトコルはＳＮＭＰ（Simple Network Management Protocol）であり、通知情報はＴＲＡＰである。
【０００６】
このような手段を講じることにより、監視装置構成の前段に専用装置が配置される。専用装置は、監視装置を構成する汎用マシンよりも故障率の低いマシンを用いると良い。専用装置は被監視装置から発報されたＴＲＡＰを受信し、一定期間分、少なくとも監視装置の冗長切替えに要する期間のＴＲＡＰを蓄積する。その容量は被監視装置により形成されるネットワークの規模に応じて設定される。監視装置は専用装置から転送されるＴＲＡＰにより被監視装置を監視する。現用系と予備系との冗長切替えの実行中であっても、ＴＲＡＰは専用装置において蓄積される。そして、予備系から新現用系に切り替わった監視装置は、ただちに専用装置に蓄積されるＴＲＡＰを取得し、処理を継続する。このようにすることで、冗長切替に伴うＴＲＡＰ受信不可時間帯を無くすることができ、現用系監視装置が動作した後は、ＴＲＡＰ受信履歴を抜けなく確認することができる。
【発明の効果】
【０００７】
この発明によれば、被監視装置からの通知情報が失われることがなくなるので、信頼性を向上させた監視システムを提供することができる。
【発明を実施するための最良の形態】
【０００８】
図１は、この発明に係わる監視システムの実施の形態を示すシステム図である。図１において、ネットワークＮＷはルータ２を介して現用系監視装置３−０、予備系監視装置３−１に接続される。すなわち監視装置冗長構成例として２台冗長構成を示す。現用系監視装置３−０、予備系監視装置３−１共に、汎用マシンに監視機能およびＳＮＭＰを実装することで実現される。予備系監視装置３−１は現用系監視装置３−０の待機系として動作し、不具合が発生するとただちに冗長切替えが行われる。
【０００９】
現用系監視装置３−０は、ネットワークＮＷに属する複数の被監視装置１１〜１ｎから通知される通知情報に基づいて各被監視装置１１〜１ｎの動作状態やネットワークＮＷを監視する。監視プロトコルとしてはＳＮＭＰが代表的であり、このプロトコルにおいて各被監視装置１１〜１ｎから発報される通知情報はＴＲＡＰと称する。
【００１０】
ところでこのシステムは、ＴＲＡＰ受信専用装置４を備える。ＴＲＡＰ受信専用装置４は被監視装置１１〜１ｎと現用系監視装置３−０（予備系監視装置３−１）との通信経路の途中に設置され、要するに監視装置構成の前段に配置される。ＴＲＡＰ受信専用装置４は現用系監視装置３−０（予備系監視装置３−１）を構成する汎用マシンよりも故障率の低い専用機を利用する。
【００１１】
ＴＲＡＰ受信専用装置４は、被監視装置１１〜１ｎから発報されるＴＲＡＰを、現用系監視装置３−０（予備系監視装置３−１）に達する前に受信し、蓄積する機能を有する。その容量は、少なくとも冗長切替時間中に受信する全てのＴＲＡＰを十分に蓄積可能な容量とする。さらにＴＲＡＰ受信専用装置４は、一旦蓄積したＴＲＡＰを現用系監視装置３−０に転送する機能を有する。これらの機能はいずれもＴＲＡＰ受信専用装置４に搭載されるソフトウェアにより実現される。
【００１２】
一方、現用系監視装置３−０はＴＲＡＰ受信専用装置４から転送されるＴＲＡＰを受信保持する機能と、ＴＲＡＰ受信専用装置４から取得したＴＲＡＰをマージ（merge）する機能とを備える。すなわち現用系監視装置３−０は、ＴＲＡＰ受信専用装置４に一旦蓄積されたＴＲＡＰを用いてネットワークＮＷを監視する。図１において、例えば被監視装置１１からＴＲＡＰが発報されると、このＴＲＡＰはＴＲＡＰ受信専用装置４により一旦受信保持されたのち、現用系監視装置３−０に転送される。現用系監視装置３−０は、転送されたＴＲＡＰを受信したのち、一定期間分のＴＲＡＰを保持する。
【００１３】
図２に示すように、現用系監視装置３−１に障害が生じると冗長切替が実行され、予備系監視装置３−１が新現用系としての動作を開始する。予備系監視装置３−１は、前回に現用系として動作している状態において取得したＴＲＡＰを保持しており、過去のＴＲＡＰ受信時刻（保持するＴＲＡＰうち最新のものの受信時刻）から最新時刻（現時刻）までのＴＲＡＰをＴＲＡＰ受信専用装置４から取得する。そうして予備系監視装置３−１は、取得したＴＲＡＰを自身が保持するＴＲＡＰ履歴とマージし、その後は新たに転送されるＴＲＡＰを受信保持する。これにより予備系監視装置３−１は現用系監視装置３−０の保持するものと同じＴＲＡＰをＴＲＡＰ受信専用装置４から取得することができ、データの抜けなく監視処理を継続することが可能になる。このようにすることで、現用系故障や定期点検に伴う冗長切替にてＴＲＡＰ受信不可時間帯を無くすことができ、切替後はＴＲＡＰ受信履歴を抜けなく確認することができる。
【００１４】
図３に示すように既存の監視システムは、ＴＲＡＰ受信専用装置４を備えていない。このため図４に示すように、ＴＲＡＰは被監視装置から発報されたのち直接的に監視装置に達することになる。しかしながら冗長切替え時においてはＴＲＡＰを受信する機能が一時的に停止されるため、その間のＴＲＡＰが失われることになる。
【００１５】
これに対し本実施形態では、監視装置の前段にＴＲＡＰを保持機能を有するＴＲＡＰ受信専用装置４を配置し、全てのＴＲＡＰをＴＲＡＰ受信専用装置４に一旦蓄積したのち、監視装置（現用系監視装置３−０、予備系監視装置３−１）に転送するようにする。現用系監視装置３−０は転送されたＴＲＡＰを受信保持しネットワークＮＷの監視に用いる。さらに冗長切替えにより新現用系となった予備系監視装置３−１は、自身に保持する過去のＴＲＡＰ受信時刻から最新時刻までのＴＲＡＰをＴＲＡＰ受信専用装置４から取得し、監視処理を継続するようにする。このようにしたので被監視装置から発報されるＴＲＡＰが失われることが無くなり、監視システムの信頼性を向上させることが可能になる。
【００１６】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１７】
【図１】この発明に係わる監視システムの実施の形態を示すシステム図。
【図２】図１のシステムにおける冗長切替え時の動作を示す概念図。
【図３】既存の監視システムを示すシステム図。
【図４】図３のシステムにおける冗長切替え時の動作を示す概念図。
【符号の説明】
【００１８】
１１〜１ｎ…被監視装置、２…ルータ、３−０…現用系監視装置、３−１…予備系監視装置、４…ＴＲＡＰ受信専用装置、ＮＷ…ネットワーク
【図１】
2007018243.tif 000003
【図２】
2007018243.tif 000004
【図３】
2007018243.tif 000005
【図４】
2007018243.tif 000006